(57)【要約】【課題】印字率に関係なく反転搬送路における記録媒体の搬送状態を維持し、且つ、オフセットの発生も抑制可能な記録媒体搬送装置およびインクジェット記録装置を提供する。【解決手段】記録媒体搬送装置は、記録媒体搬送路と、可動ガイドと、搬送ローラー対と、ガイド駆動モーターと、制御部と、印字率入力部と、を備える。記録媒体搬送路は、内コーナー側及び外コーナー側の搬送面を構成する内搬送ガイド及び外搬送ガイドを有する。可動ガイドは、外搬送ガイドの少なくとも一部であって、記録媒体の搬送方向に対し下流側の端部が内搬送ガイドに対して接離方向に移動可能である。制御部は、印字率入力部に入力された印字率が所定値以上であるときは可動ガイドを内搬送ガイドに対して所定の間隔を隔てて配置される第１の位置に移動させ、印字率が所定値以下であるときは可動ガイドを第１の位置に比べて内搬送ガイドとの間隔が狭くなる第２の位置に移動させる。【選択図】図２
2019142628.tif 000002
【特許請求の範囲】
【請求項１】
記録媒体の内コーナー側の搬送面を構成する内搬送ガイドと、外コーナー側の搬送面を構成する外搬送ガイドと、を有する記録媒体搬送路と、
前記外搬送ガイドの少なくとも一部であって、前記記録媒体の搬送方向に対し上流側の端部を支点として下流側の端部が前記内搬送ガイドに対して接離方向に移動可能な可動ガイドと、
前記記録媒体の搬送方向に対し前記可動ガイドの下流側に隣接して配置される搬送ローラー対と、
前記可動ガイドを移動させるガイド駆動装置と、
前記ガイド駆動装置を制御する制御部と、
を備え、前記記録媒体の搬送方向に対し前記記録媒体にインクを吐出して画像を形成する記録部の下流側において前記記録媒体を搬送する記録媒体搬送装置であって、
前記記録部において前記記録媒体に形成される画像の印字率が入力される印字率入力部を備え、
前記制御部は、前記印字率入力部に入力された前記印字率が所定値以上であるときは前記可動ガイドを前記内搬送ガイドに対して所定の間隔を隔てて配置される第１の位置に移動させ、前記印字率が所定値以下であるときは前記可動ガイドを前記第１の位置に比べて前記内搬送ガイドとの間隔が狭くなる第２の位置に移動させることを特徴とする記録媒体搬送装置。
【請求項２】
前記記録媒体の搬送方向に対し前記可動ガイドの下流側の端部は、前記搬送ローラー対のニップ部と重なる位置、若しくは前記ニップ部よりも下流側に突出していることを特徴とする請求項１に記載の記録媒体搬送装置。
【請求項３】
前記記録部と、
記録媒体の搬送方向に対し前記記録部の下流側に配置され、前記記録媒体のカールを矯正するデカーラー部と、
記録媒体の搬送方向に対し前記デカーラー部の下流側に配置され、前記記録媒体の表裏面を反転させた状態で前記記録部に再搬送する反転搬送路と、
を備え、
前記反転搬送路は、前記記録媒体を湾曲させた状態で搬送する湾曲搬送路を有し、
前記湾曲搬送路として請求項１又は請求項２に記載の記録媒体搬送装置を備えたインクジェット記録装置。
【請求項４】
前記制御部は、前記記録部において前記記録媒体の両面に画像を形成する場合、前記記録媒体の１面目に形成される画像の印字率が所定値以上であるときは前記可動ガイドを前記第１の位置に移動させ、前記印字率が所定値以下であるときは前記可動ガイドを前記第２の位置に移動させることを特徴とする請求項３に記載のインクジェット記録装置。
【請求項５】
前記印字率入力部として、画像データに基づいて前記印字率を算出する演算部を備え、
前記制御部は、前記演算部によって算出された前記印字率が所定値Ｐ１以上であるときは前記可動ガイドを基準位置から前記第１の位置に移動させ、前記印字率が所定値Ｐ２以下（Ｐ１＞Ｐ２）であるときは前記可動ガイドを基準位置から前記第２の位置に移動させることを特徴とする請求項４に記載のインクジェット記録装置。
【請求項６】
前記反転搬送路は、
前記記録媒体の１面目を内側に湾曲させて搬送する第１湾曲搬送路と、
前記第１湾曲搬送路から搬送された前記記録媒体の搬送方向を切り替えることにより前記記録媒体の表裏面を反転させる反転トレイと、
前記反転トレイによって表裏面が反転された前記記録媒体の１面目を外側に湾曲させて前記記録部へ再搬送する第２湾曲搬送路と、
を有し、
前記可動ガイドは、前記第２湾曲搬送路を構成する前記外搬送ガイドの少なくとも一部であることを特徴とする請求項３乃至請求項５のいずれかに記載のインクジェット記録装置。
【発明の詳細な説明】
【技術分野】
【０００１】
本発明は、インクを吐出して画像を記録する記録部の下流側に設けられる記録媒体搬送装置、およびそれを備えたインクジェット記録装置に関するものである。
【背景技術】
【０００２】
ファクシミリ、複写機、プリンター等の記録装置は、紙、布、ＯＨＰ用シート等の記録媒体に画像を記録するように構成されている。これらの記録装置は、記録を行う方式によりインクジェット式、ワイヤードット式、サーマル式等に分類することができる。また、インクジェット記録方式はさらに、記録ヘッドが記録媒体上を走査しながら記録を行うシリアル型と、装置本体に固定された記録ヘッドにより記録を行うラインヘッド型に分類することができる。
【０００３】
このようなインクジェット記録装置においては、記録媒体の含水率によって激しいカール（巻きぐせ）が発生することが知られている。記録媒体にカールが発生すると、記録媒体の搬送状態が悪くなり、記録媒体の主走査方向のズレ（光軸ズレ）や先端の折れ（耳折れ）が発生し、最悪の場合はジャムが発生するおそれがあった。
【０００４】
そこで、従来はデカール装置を設けて記録媒体のカールを矯正し、搬送状態の悪化を抑制していた。しかし、記録媒体のカールが小さい場合にも記録媒体がデカール装置を通過するため、記録媒体に逆方向のカール（逆カール）を発生させてしまう。一方の面に画像が形成された記録媒体の表裏面を反転させ、反転した記録媒体を記録部へ再搬送する反転搬送路を備えたインクジェット記録装置では、逆カールが発生した記録媒体が反転搬送路を通過する際に搬送ローラー対や搬送ガイドに沿って円滑に搬送されず、光軸ズレが発生するという問題点があった。
【０００５】
また、逆カールが発生した記録媒体の搬送状態を維持するために反転搬送路を構成する搬送ガイド間の距離を狭くすると、印字率が高くインクの含浸量が多い記録媒体が搬送された場合に搬送ガイドに記録媒体が擦りつけられて搬送ガイドにインクが付着する。そして、搬送ガイドに付着したインクが後続の記録媒体に再付着してオフセットが発生するという問題点があった。
【０００６】
なお、記録媒体の搬送状態を維持するために可動式の搬送ガイドを用いる方法が種々提案されている。例えば特許文献１には、印字ラインに沿って移動する印字ヘッドと、印字ステーションに沿って移動する可動形のプラテンと、プラテンと一体的に設けられプラテンと共に移動する磁気ヘッドとを備えた印字装置が開示されている。この印字装置では、印字ステーションのプラテン側を覆い印字媒体を搬送路に沿って案内する第１の搬送ガイドと、印字ヘッド側を覆う第２の搬送ガイドとから成る搬送ガイド機構であって、第１の搬送ガイドは印字媒体が印字ステーションを通過する際にプラテンの移動通路をカバーし、印字媒体の通過後にプラテンの移動通路を開放するとともに、第２の搬送ガイドは印字媒体の先端部が通過する際に印字ヘッドの通路をカバーし、印字時に印字ヘッドの通路を開放する。
【０００７】
また特許文献２には、帳票等を挿入し搬送する挿入口及び搬送路を連続して形成する互いに対向した上・下の搬送ガイドと、搬送路中に設けられた少なくとも１組の搬送ローラー組と、搬送された帳票等に所定の印字を行う印字手段とを備え、挿入口に、上搬送ガイドの全幅、又は一部の幅にわたり切欠き部を設け、切欠き部には移動可能に支持した可動プレートを備え、可動プレートは切欠き部を覆い、挿入ガイドの一部となる第一の位置、及び切欠き部を開放する第二の位置とを選択的にとりうる構成とした帳票類印字装置の挿入口開閉機構が開示されている。
【先行技術文献】
【特許文献】
【０００８】
【特許文献１】特開平３−１８９１７５号公報
【特許文献２】特開平８−２２７４７７号公報
【発明の概要】
【発明が解決しようとする課題】
【０００９】
しかしながら、特許文献１の方法は、可動式のプラテンを用いた印字装置においてプラテンと搬送ガイドの隙間に印字媒体の先端が入り込むことによるジャムの発生を防止するための技術である。また、特許文献２の方法は、長さの異なる帳票等を使用する場合の媒体の挿入性を確保し、且つ、帳票等の所望の媒体以外の異物が装置内部に進入しやすい場合に異物の進入を防ぐための技術である。従って、いずれも記録媒体にカールが発生した場合の反転搬送路での搬送状態の悪化やオフセットの発生を抑制するものではなかった。
【００１０】
本発明は、上記問題点に鑑み、印字率に関係なく反転搬送路における記録媒体の搬送状態を維持し、且つ、オフセットの発生も抑制可能な記録媒体搬送装置およびそれを備えたインクジェット記録装置を提供することを目的とする。
【課題を解決するための手段】
【００１１】
上記目的を達成するために本発明の第１の構成は、記録媒体搬送路と、可動ガイドと、搬送ローラー対と、ガイド駆動モーターと、制御部と、印字率入力部と、を備え、記録媒体の搬送方向に対し記録媒体にインクを吐出して画像を形成する記録部の下流側において記録媒体を搬送する記録媒体搬送装置である。記録媒体搬送路は、記録媒体の内コーナー側の搬送面を構成する内搬送ガイドと、外コーナー側の搬送面を構成する外搬送ガイドと、を有する。可動ガイドは、外搬送ガイドの少なくとも一部であって、記録媒体の搬送方向に対し上流側の端部を支点として下流側の端部が内搬送ガイドに対して接離方向に移動可能である。搬送ローラー対は、記録媒体の搬送方向に対し可動ガイドの下流側に隣接して配置される。ガイド駆動モーターは、可動ガイドを移動させる。制御部は、ガイド駆動モーターを制御する。印字率入力部は、記録部において記録媒体に形成される画像の印字率が入力される。制御部は、印字率入力部に入力された印字率が所定値以上であるときは可動ガイドを内搬送ガイドに対して所定の間隔を隔てて配置される第１の位置に移動させ、印字率が所定値以下であるときは可動ガイドを第１の位置に比べて内搬送ガイドとの間隔が狭くなる第２の位置に移動させる。
【発明の効果】
【００１２】
本発明の第１の構成によれば、印字率が所定値以上である場合は可動ガイドが第１の位置に配置されるため、記録媒体が外搬送ガイドに擦り付けられずに搬送される。従って、外搬送ガイドへのインクの付着およびそれに起因するオフセットの発生を抑制することができる。また、印字率が所定値以下である場合は可動ガイドが第２の位置に配置され、内搬送ガイドと可動ガイドとの間隔が狭くなるため、記録媒体が搬送ローラー対のニップ部に円滑に案内される。従って、記録媒体の搬送状態が安定し、光軸ズレの発生を抑制することができる。
【図面の簡単な説明】
【００１３】
【図１】本発明の一実施形態に係る用紙搬送装置２８を備えたプリンター１００の概略構造を示す側面断面図
【図２】本実施形態のプリンター１００における反転搬送路１６の第２湾曲搬送路１６ｂ周辺の構造を示す側面断面図
【図３】本実施形態のプリンター１００の制御経路の一例を示すブロック図
【図４】本実施形態のプリンター１００における印字実行時の制御例を示すフローチャート
【図５】可動ガイド２１ｂを図２の基準位置から第１の位置に移動させた状態を示す側面断面図
【図６】可動ガイド２１ｂを図２の基準位置から第２の位置に移動させた状態を示す側面断面図
【発明を実施するための形態】
【００１４】
以下、図面を参照しながら本発明の実施形態について説明する。図１は、本発明の一実施形態に係る用紙搬送装置２８を備えたインクジェット記録式のプリンター１００の概略構成を示す図である。
【００１５】
図１に示すように、プリンター１００は、プリンター本体１の内部下方に用紙収容部である給紙カセット２が配置されている。給紙カセット２の用紙搬送方向下流側、すなわち図１における給紙カセット２の右側の上方には給紙装置３が配置されている。この給紙装置３により、給紙カセット２から用紙Ｐが１枚ずつ分離されて送り出される。
【００１６】
また、プリンター１００の内部には第１用紙搬送路４ａが設けられている。第１用紙搬送路４ａは、給紙カセット２に対して右上方に位置する。給紙装置３によって給紙カセット２から送り出された用紙Ｐは第１用紙搬送路４ａを通ってプリンター本体１の側面に沿って垂直上方に搬送される。
【００１７】
用紙搬送方向に対し第１用紙搬送路４ａの下流端にはレジストローラー対１３が備えられている。さらにレジストローラー対１３の下流側直近には第１ベルト搬送部５及び記録部９が配置されている。レジストローラー対１３は用紙Ｐの斜め送りを矯正しつつ記録部９が実行するインク吐出動作とのタイミングを計り、第１ベルト搬送部５に向かって用紙Ｐを送り出す。
【００１８】
第１ベルト搬送部５は、駆動ローラーと従動ローラーとに巻き掛けられた無端状の搬送ベルトを備えている。レジストローラー対１３から送り出された用紙Ｐは搬送ベルトに吸着保持された状態で記録部９の下方を通過する。
【００１９】
記録部９は、第１ベルト搬送部５によって搬送される用紙Ｐに画像の記録を行うラインヘッド１１Ｃ、１１Ｍ、１１Ｙ及び１１Ｋを備えている。各ラインヘッド１１Ｃ〜１１Ｋには、それぞれインクタンク（図示せず）に貯留されている４色（シアン、マゼンタ、イエロー及びブラック）のインクがラインヘッド１１Ｃ〜１１Ｋの色毎に供給される。パソコン等の上位機器から受信した画像データの情報に対応して、第１ベルト搬送部５の搬送ベルトに吸着された用紙Ｐに向かって各ラインヘッド１１Ｃ〜１１Ｋからそれぞれのインクを順次吐出することにより、用紙Ｐにはイエロー、マゼンタ、シアン、ブラックの４色のインクが重ね合わされたフルカラー画像が記録される。なお、プリンター１００ではモノクロ画像を記録することも可能である。
【００２０】
用紙搬送方向に対し第１ベルト搬送部５の下流側（図１の左側）には第２ベルト搬送部１２が配置されている。記録部９において画像が記録された用紙Ｐは第２ベルト搬送部１２へと送られ、第２ベルト搬送部１２を通過する間に用紙Ｐの表面に吐出されたインクが乾燥される。第２ベルト搬送部１２は、第１ベルト搬送部５と同様に、駆動ローラーと従動ローラーとに巻き掛けられた無端状の搬送ベルトを備えている。
【００２１】
用紙搬送方向に対し第２ベルト搬送部１２の下流側であってプリンター本体１の左側面近傍にはデカーラー部１４が備えられている。第２ベルト搬送部１２にてインクが乾燥された用紙Ｐはデカーラー部１４へと送られ、用紙Ｐに生じたカールが矯正される。
【００２２】
用紙搬送方向に対しデカーラー部１４の下流側（図１の上方）には第２用紙搬送路４ｂが備えられている。デカーラー部１４を通過した用紙Ｐは両面記録を行わない場合、第２用紙搬送路４ｂから排出ローラー対を介してプリンター１００の左側面外部に設けられた用紙排出トレイ１５に排出される。用紙Ｐの両面に記録を行う場合は、片面への記録が終了して第２ベルト搬送部１２及びデカーラー部１４を通過した用紙Ｐが第２用紙搬送路４ｂを通過して反転搬送路１６へ搬送される。
【００２３】
反転搬送路１６は、Ｕ字状に湾曲した第１湾曲搬送路１６ａおよび第２湾曲搬送路１６ｂと、反転トレイ１７とを有する。第１湾曲搬送路１６ａは、用紙Ｐを反転トレイ１７へ搬送する。第２湾曲搬送路１６ｂは、反転トレイ１７によって表裏面が反転された用紙Ｐをレジストローラー対１３へ再搬送する。反転トレイ１７は、第１湾曲搬送路１６ａから搬送された用紙Ｐを受け入れた後、搬送方向を切り替える（スイッチバックさせる）ことにより用紙Ｐの表裏面を反転させる。
【００２４】
反転搬送路１６を通過して表裏面が反転された用紙Ｐは、レジストローラー対１３に搬送された後、画像の記録されていない面を上向きにした状態で所定のタイミングで再度第１ベルト搬送部５へと搬送される。
【００２５】
また、第２ベルト搬送部１２の下方にはメンテナンスユニット１９が配置されている。メンテナンスユニット１９は、記録部９の各ラインヘッド１１Ｃ〜１１Ｋのメンテナンスを実行する際に記録部９の下方に移動し、記録ヘッドのインク吐出ノズル（図示せず）から吐出（パージ）されたインクを拭き取り、拭き取られたインクを回収する。
【００２６】
更に、プリンター本体１内には、給紙装置３、第１ベルト搬送部５、記録部９、第２ベルト搬送部１２、メンテナンスユニット１９等の動作を制御する制御部９０が配置されている。
【００２７】
図２は、本実施形態のプリンター１００における反転搬送路１６の第２湾曲搬送路１６ｂ周辺の構造を示す断面図である。第２湾曲搬送路１６ｂは、内搬送ガイド２０と、外搬送ガイド２１と、搬送ローラー対２３ａ、２３ｂと、搬送コロ２５ａ、２５ｂと、用紙検知センサー２７ａ、２７ｂと、を有する。反転トレイ１７で表裏面が反転された用紙Ｐは、印字面を外搬送ガイド２１に対向させた状態で第２湾曲搬送路１６ｂを通過する。内搬送ガイド２０、外搬送ガイド２１、搬送ローラー対２３ｂ、ガイド駆動モーター３５、および後述する制御部９０、演算部９７（図３参照）は、本発明の一実施形態に係る用紙搬送装置２８を構成する。
【００２８】
内搬送ガイド２０は、第２湾曲搬送路１６ｂの内コーナー側（図２の左側）の搬送面を構成する。外搬送ガイド２１は、内搬送ガイド２０と所定の間隔を隔てて対向しており、第２湾曲搬送路１６ｂの外コーナー側（図２の右側）の搬送面を構成する。外搬送ガイド２１は、用紙搬送方向に対し第２湾曲搬送路１６ｂの上流側部分を構成する固定ガイド２１ａと、下流側部分を構成する可動ガイド２１ｂとで構成される。
【００２９】
可動ガイド２１ｂは、一端部に円筒状の支持部３０が形成されている。支持部３０は、固定ガイド２１ａの下流側端部近傍に設けられた支軸３１に回転可能に外挿されている。支持部３０の外周面にはギア歯（図示せず）が形成されており、ガイド駆動モーター３５の駆動出力ギア３３が噛み合っている。なお、図２では可動ガイド２１ｂが基準位置に配置された状態を示している。
【００３０】
搬送ローラー対２３ａ、２３ｂは、それぞれ用紙搬送方向に対し第２湾曲搬送路１６ｂの上流側（図２の上側）および下流側（図２の下側）に配置されており、ニップ部を通過する用紙Ｐに搬送力を付与する。下流側の搬送ローラー対２３ｂのニップ部は、用紙搬送方向において可動ガイド２１ｂの可動端２１ｂ１と重なる位置に配置されている。なお、可動ガイド２１ｂの可動端２１ｂ１は、用紙搬送方向に対し搬送ローラー対２３ｂのニップ部よりも下流側に突出していてもよい。
【００３１】
搬送コロ２５ａ、２５ｂは、外周面の一部が内搬送ガイド２０から第２湾曲搬送路１６ｂ内に突出するように配置されている。搬送コロ２５ａ、２５ｂは、搬送ローラー対２３ａ、２３ｂの間で用紙Ｐが引っ張られた状態で搬送されたとき、用紙Ｐが内搬送ガイド２０に擦られるのを防ぎ、用紙Ｐが円滑に搬送されるように補助する。
【００３２】
用紙検知センサー２７ａは、用紙搬送方向に対し搬送ローラー対２３ａの上流側に配置され、第２湾曲搬送路１６ｂへの用紙Ｐの進入を検知する。用紙検知センサー２７ｂは、用紙Ｐの搬送方向に対し搬送ローラー対２３ｂの下流側に配置され、用紙Ｐが第２湾曲搬送路１６ｂを通過したことを検知する。
【００３３】
図３は、本実施形態のプリンター１００の制御経路の一例を示すブロック図である。なお、プリンター１００を使用する上で装置各部の様々な制御がなされるため、プリンター１００全体の制御経路は複雑なものとなる。そこで、ここでは制御経路のうち、本発明の実施に必要となる部分を重点的に説明する。
【００３４】
画像入力部４０は、プリンター１００にパソコン等から送信される画像データを受信する受信部である。画像入力部６０より入力された画像信号はデジタル信号に変換された後、一時記憶部９４に送出される。
【００３５】
操作部７０には、液晶表示部７１、各種の状態を示すＬＥＤ７２が設けられており、プリンター１００の状態を示したり、画像形成状況や印字部数を表示したりするようになっている。プリンター１００の各種設定はパソコンのプリンタードライバーから行われる。
【００３６】
制御部９０は、中央演算処理装置としてのＣＰＵ（Central Processing Unit）９１、読み出し専用の記憶部であるＲＯＭ（Read Only Memory）９２、読み書き可能な記憶部であるＲＡＭ（Random Access Memory）９３、一時的に画像データ等を記憶する一時記憶部９４、カウンター９５、プリンター１００内の各装置に制御信号を送信したり操作部７０からの入力信号を受信したりする複数（ここでは２つ）のＩ／Ｆ（インターフェイス）９６、演算部９７を少なくとも備えている。
【００３７】
ＲＯＭ９２には、プリンター１００の制御用プログラムや、制御上の必要な数値等、プリンター１００の使用中に変更されることがないようなデータ等が収められている。ＲＡＭ９３には、プリンター１００の制御途中で発生した必要なデータや、プリンター１００の制御に一時的に必要となるデータ等が記憶される。一時記憶部９４は、パソコン等から送信される画像データを受信する画像入力部４０より入力され、デジタル信号に変換された画像信号を一時的に記憶する。カウンター９５は、印字枚数を累積してカウントする。演算部９７は、一時記憶部９４内のデジタル信号（画像データ）が入力され、入力された画像データに基づいて画像毎の印字率Ｐａを算出する。演算部９７は、入力された画像データに基づいて印字率を算出するため、本実施形態では印字率が入力される印字率入力部として機能する。
【００３８】
また、制御部９０は、プリンター１００における各部分、装置に対し、ＣＰＵ９１からＩ／Ｆ９６を通じて制御信号を送信する。また、各部分、装置からその状態を示す信号や入力信号がＩ／Ｆ９６を通じてＣＰＵ９１に送信される。制御部９０が制御する各部分、装置としては、例えば、給紙装置３、第１ベルト搬送部５、記録部９、第２ベルト搬送部１２、レジストローラー対１３、メンテナンスユニット１９、ガイド駆動モーター３５、画像入力部４０、操作部７０等が挙げられる。
【００３９】
上述したように、記録部９において用紙Ｐへ吐出されるインク量によって用紙Ｐに発生するカールの度合いが大きく変化する。具体的には、吐出されるインク量が多いほど（印字率が高いほど）カールは大きくなり、吐出されるインク量が少ないほど（印字率が低いほど）カールは小さくなる。
【００４０】
そのため、用紙Ｐへのインク吐出量が多い場合に合わせてデカーラー部１４におけるカール矯正量を調整すると、インク吐出量が少ない場合に逆カールが発生する。特に、両面印字を行う場合、用紙Ｐの先端が反転搬送路１６の搬送ガイドに突っかかり、用紙Ｐの光軸ズレや先端部の折れが発生し易くなる。
【００４１】
そこで、本発明のプリンター１００では、印字率に応じて第２湾曲搬送路１６ｂの可動ガイド２１ｂの位置を変更する。具体的には、印字率が高いほど可動ガイド２１ｂと内搬送ガイド２０との間隔が広くなるように可動ガイド２１ｂを移動させ、印字率が低いほど可動ガイド２１ｂと内搬送ガイド２０との間隔が狭くなるように可動ガイド２１ｂを移動させる。
【００４２】
図４は、本実施形態のプリンター１００における印字実行時の制御例を示すフローチャートである。必要に応じて図１〜図３および後述する図５、図６を参照しながら、図４のステップに沿ってプリンター１００による印字実行手順について説明する。
【００４３】
パソコン等の上位機器からの印字命令を受信することにより印字が開始されると（ステップＳ１）、制御部９０は両面印字であるか否かを判断する（ステップＳ２）。両面印字である場合は（ステップＳ２でＹｅｓ）、演算部９７は、画像入力部４０から一時記憶部９４に記憶されたデジタル信号（画像データ）に基づいて画像の印字率Ｐａを算出する（ステップＳ３）。
【００４４】
次いで、制御部９０は印字率Ｐａが閾値Ｐ１以上であるか否かを判断する（ステップＳ４）。なお、ここでは印字率Ｐａの最大値を４００％（各ラインヘッド１１Ｃ〜１１Ｋによって印字される画像の最大印字率１００％の総計）とし、閾値Ｐ１を１００％としている。Ｐａ≧Ｐ１、即ちＰａが１００％以上である場合は（ステップＳ４でＹｅｓ）、制御部９０はガイド駆動モーター３５に制御信号を送信し、図５に示すように駆動出力ギア３３を時計回り方向に回転させる。これにより、可動ガイド２１ｂは支持部３０を支点として反時計回り方向に回動し、図２に示した基準位置から内搬送ガイド２０との間隔が広くなる位置（以下、第１の位置という）に移動する（ステップＳ５）。
【００４５】
一方、Ｐａ＜Ｐ１、即ちＰａが１００％未満である場合は（ステップＳ４でＮｏ）、制御部９０は印字率Ｐａが閾値Ｐ２以下（Ｐ２＜Ｐ１）であるか否かを判断する（ステップＳ６）。ここでは閾値Ｐ２を２０％としている。Ｐａ≦Ｐ２、即ちＰａが２０％以下である場合は（ステップＳ６でＹｅｓ）、制御部９０はガイド駆動モーター３５に制御信号を送信し、図６に示すように駆動出力ギア３３を反時計回り方向に回転させる。これにより、可動ガイド２１ｂは支持部３０を支点として時計回り方向に回動し、図２に示した基準位置から内搬送ガイド２０との間隔が狭くなる位置（以下、第２の位置という）に移動する（ステップＳ７）。その後、印字を実行し（ステップＳ８）、印字が終了した時点で処理を終了する。
【００４６】
また、Ｐ２＜Ｐａ＜Ｐ１、即ちＰａが２０％よりも大きく１００％未満である場合は（ステップＳ６でＮｏ）、可動ガイド２１ｂを図２に示した基準位置に配置した状態で印字を実行し（ステップＳ８）、印字が終了した時点で処理を終了する。なお、両面印字でない場合は（ステップＳ２でＮｏ）反転搬送路１６を用紙が通過しないため、印字率Ｐａの算出や可動ガイド２１ｂの移動を行わずに印字を実行し（ステップＳ８）、印字が終了した時点で処理を終了する。
【００４７】
上記の制御によれば、印字率Ｐａが所定値Ｐ１以上である場合は可動ガイド２１ｂが第１の位置に配置され、内搬送ガイド２０と外搬送ガイド２１（可動ガイド２１ｂ）との間隔が広くなるため、用紙Ｐの印字面が外搬送ガイド２１に擦り付けられずに搬送される。従って、外搬送ガイド２１へのインクの付着およびそれに起因するオフセットの発生を抑制することができる。
【００４８】
また、印字率Ｐａが所定値Ｐ２以下である場合は可動ガイド２１ｂが第２の位置に配置され、内搬送ガイド２０と外搬送ガイド２１（可動ガイド２１ｂ）との間隔が狭くなるため、デカーラー部１４を通過した用紙Ｐに逆カールが発生している状態であっても、用紙Ｐの先端を搬送ローラー対２３ｂに確実に案内することができる。従って、用紙Ｐの搬送状態が安定するため主走査方向において用紙位置がずれるのを抑制することができる。
【００４９】
さらに、画像データから算出された印字率に基づいてガイド駆動モーター３５を駆動することで可動ガイド２１ｂが自動的に基準位置から第１の位置または第２の位置に移動するため、ユーザーが内搬送ガイド２０と外搬送ガイド２１の間隔を切り替える操作を行う必要がなく、プリンター１００の操作性も向上する。
【００５０】
なお、本実施形態では可動ガイド２１ｂの配置を図２に示した基準位置、図５に示した第１の位置、図６に示した第２の位置の３段階に切り替え可能としたが、図２に示した基準位置と図６に示した第２の位置の２段階に切り替え可能としてもよい。この場合、基準位置が本実施形態の第１の位置に相当する。或いは、図５に示した第１の位置と図６に示した第２の位置の２段階に切り替え可能としてもよい。
【００５１】
その他本発明は、上記実施形態に限定されず、本発明の趣旨を逸脱しない範囲で種々の変更が可能である。例えば、上記実施形態では第２湾曲搬送路１６ｂの外搬送ガイド２１の一部を可動ガイド２１ｂとしたが、外搬送ガイド２１全体を可動ガイドとしてもよい。また、可動ガイド２１ｂを駆動する駆動装置はガイド駆動モーター３５に限らず、例えばソレノイド装置を用いることもできる。
【００５２】
また、上記実施形態ではインクジェット記録式のプリンター１００の反転搬送路１６に本発明の用紙搬送装置２８を用いた例について示したが、用紙搬送装置２８は、例えばプリンター１００に連結され、プリンター１００によって画像が記録された用紙に後処理を行う用紙後処理装置に用いることもできる。
【００５３】
用紙搬送装置２８を用紙後処理装置に用いる場合、プリンター１００によって用紙Ｐに記録された画像の印字率Ｐａが入力される印字率入力部が必要となる。印字率入力部としては、例えばプリンター１００のＩ／Ｆ９６から送信された印字率情報を入力する受信部を設けることができる。
【００５４】
また、上記実施形態では、用紙搬送方向に対し反転トレイ１７の下流側に位置する第２湾曲搬送路１６ｂにおいて可動ガイド２１ｂの配置を切り替える構成としたが、反転トレイ１７の上流側に位置する第１湾曲搬送路１６ａにも全く同様に適用することができる。
【００５５】
また、上記実施形態ではプリンター本体１に固定されたラインヘッド１１Ｃ〜１１Ｋにより記録を行うラインヘッド型のプリンター１００を例に挙げて説明したが、本発明は記録ヘッドが記録媒体上を走査しながら記録を行うシリアル型のインクジェット記録装置にも全く同様に適用することができる。
【符号の説明】
【００５６】
５              第１ベルト搬送部（搬送部）
８              第１搬送ベルト
９              記録部
１２            第２ベルト搬送部
１４            デカーラー部
１６            反転搬送路
１６ａ          第１湾曲搬送路
１６ｂ          第２湾曲搬送路（記録媒体搬送路）
１７            反転トレイ
２０            内搬送ガイド
２１            外搬送ガイド
２１ａ          固定ガイド
２１ｂ          可動ガイド
２３ａ、２３ｂ  搬送ローラー対
２８            用紙搬送装置（記録媒体搬送装置）
３０            支持部
３５            ガイド駆動モーター（ガイド駆動装置）
７０            操作部
９０            制御部
９７            演算部（印字率入力部）
１００          プリンター（インクジェット記録装置）
Ｐ              用紙（記録媒体）
【図１】
2019142628.tif 000003
【図２】
2019142628.tif 000004
【図３】
2019142628.tif 000005
【図４】
2019142628.tif 000006
【図５】
2019142628.tif 000007
【図６】
2019142628.tif 000008